(57)【要約】【課題】  柔軟性を維持しつつ、スティックの反発を抑えることがないドラムヘッドを提供する。【解決手段】  鉄板でできている基材２０を、ＡＢＳ（アクリロニトリルブタジエンスチレン）樹脂でできているケース１０に固着し、ウレタン系やオレフィン系等の粘着性および弾性を有する材料でできているパッド３０を基材２０の上面に固着する。パッド３０において基材２０に固着された面と反対の面、即ち、スティックにより打撃される面には、亜鉛華デンプン４０を付着させる。【選択図】            図１
2006072063.tif 000002
【特許請求の範囲】
【請求項１】
基材層と、
弾性と粘着性とを有する弾性部材層と、
粉状の部材と
を有し、
前記基材層の上面に前記弾性部材層が積層され、
前記弾性部材層の上面に前記粉状の部材が付着していること
を特徴とする打楽器用ヘッド。
【請求項２】
前記粉状の部材は、亜鉛華を含んでいることを特徴とする請求項１に記載の打楽器用ヘッド。
【請求項３】
前記粉状の部材は亜鉛華デンプンであることを特徴とする請求項１に記載の打楽器用ヘッド。
【発明の詳細な説明】
【技術分野】
【０００１】
本発明は、電子打楽器用のヘッドに関する。
【背景技術】
【０００２】
電子音を楽音として得る電子楽器として、ドラム等の打楽器を電子化した電子ドラムが提供されている。電子ドラムにおいては、例えば、特許文献１に示されているように、圧電素子等から構成される打撃センサがドラムヘッドに設けられており、ドラムヘッドの打面がスティックで打撃されると、打撃検出センサによってその打撃状態が検知され、検知された打撃状態に基づいて、打撃に応じた楽音が電子的に発せられる。
【特許文献１】特開平９−２４４６３３号公報
【発明の開示】
【発明が解決しようとする課題】
【０００３】
さて、電子ドラムのドラムヘッドにおいては、弾性および柔軟性を有するエラストマなどの部材が採用されている。これは、柔軟性の高いエラストマを使用することにより、スティックがドラムヘッドに衝突した時の衝突音が小さくなるという効果が得られるためである。しかしながら、柔軟性の高いエラストマの中には、その表面に高い粘着性を有しているものが多く、打撃された際にスティックに付着し、スティックが反発する力を抑えてしまう。通常のアコースティックドラムの打撃面においては、このようなスティックの反発を抑える力は生じないため、電子ドラムの演奏時に演奏者が違和感を感じ、アコースティックドラムのような心地よい反発を得ることができないという問題がある。
【０００４】
本発明は、上述した背景の下になされたものであり、柔軟性を維持しつつ、スティックの反発を抑えることがないドラムヘッドを提供することを目的とする。
【課題を解決するための手段】
【０００５】
上述した課題を解決するために本発明は、基材層と、弾性と粘着性とを有する弾性部材層と、粉状の部材とを有し、前記基材層の上面に前記弾性部材層が積層され、前記弾性部材層の上面に前記粉状の部材が付着していることを特徴とする打楽器用ヘッドを提供する。
本発明によれば、粘着性を有する弾性部材層の上面に粉状の部材が付着しているので、スティックにより打撃されてもスティックが弾性部材層に付着することがない。
【発明の効果】
【０００６】
本発明によれば、柔軟性と反発性とを兼ね備えたドラムヘッドを提供することが可能となる。
【発明を実施するための最良の形態】
【０００７】
以下、本発明の実施形態に係る打楽器用ヘッドについて図面を参照して説明する。
図１は、本発明の実施形態に係る電子ドラムの構成を示した図である。なお、図１において、基材２０、パッド３０から構成されるドラムヘッドと、ケース１０および振動検出センサ５０については、その断面を図示している。また、図１においては、構成の理解を容易にするため、各部材の寸法は、実際の寸法とは異ならせて図示している。
【０００８】
基材２０は例えば鉄板であり、ＡＢＳ（アクリロニトリルブタジエンスチレン）樹脂でできているケース１０に固着されている。パッド３０は、例えばウレタン系やオレフィン系の粘着性および弾性を有する材料でできており、基材２０の上面に固着されている。基材２０においてスティックにより打撃されるパッド３０と反対の面（図１において、基材２０の下面）には振動検出センサ５０が配設されている。振動検出センサ５０は圧電素子を具備しており、スティックによりパッド３０が打撃されると、打撃により基材２０に生ずる振動を検知し、検知した振動を示す信号を出力する。楽音発生部１００は、振動検出センサ５０から出力された信号に基づいて楽音信号を生成し、生成した楽音信号をスピーカ１１０へ供給する。スピーカ１１０は、供給された楽音信号に対応した楽音を発する。パッド３０において基材２０に固着された面と反対の面、即ち、スティックにより打撃される面には、パッド３０の粘着力により亜鉛華デンプン４０を付着させている。パッド３０は粘着性を有しているので亜鉛華デンプン４０は容易に飛散せず、また、かりに亜鉛華デンプン４０がスティックによる打撃により飛散しても亜鉛華デンプン４０を塗布しなおせばよい。
【０００９】
ここで亜鉛華デンプン４０の働きについて説明する。亜鉛華デンプン４０がパッド３０の表面に付着していない場合、図２（ａ）に示したようにパッド３０がスティック６０により打撃されると、パッド３０の粘着性によりスティック６０はパッド３０に付着する。その後、図２（ｂ）に示したようにスティック６０での打撃によりパッド３０の表面が凹むと、凹んだ部分の形状を元に戻そうとする力がパッド３０に生じる。スティック６０は、この力により打撃方向と反対方向（図２（ｃ）中の矢印Ａ）に跳ね返されるが、パッド３０の粘着性によりパッド３０に付着しているため、パッド３０の打撃面を図２（ｃ）に示したように引上げることとなる。スティック６０によりパッド３０の表面が引上げられると、引上げられた部分の形状を元に戻そうとする力がパッド３０において生じる。元の形状に戻る際、パッド３０にはスティック６０が付着しているため、跳ね返された方向とは反対方向（図２（ｃ）中の矢印Ｂ）の力がスティック６０に作用して反発力が減ぜられ、アコースティックドラムのような反発感が得られなくなる。
【００１０】
一方、亜鉛華デンプン４０がパッド３０の表面に付着している場合、亜鉛華デンプン４０によりパッド３０の表面には滑性が生じ、パッド３０がスティック６０により打撃されてもスティック６０がパッド３０に付着することがない。その後、図３（ｂ）に示したようにスティック６０での打撃によりパッド３０の表面が凹むと、弾性により形状を元に戻そうとする力がパッド３０に生じる。ここで、スティック６０はパッド３０に付着していないため、反発した際にパッド３０の表面を引上げることがない。即ち、パッド３０によりスティック６０が跳ね返される際、跳ね返された方向とは反対方向の力がスティック６０に作用しなくなるため、反発力が減ぜられることなく、アコースティックドラムのような反発感を得ることができる。
【００１１】
この反発の違いを定量化した結果を図４に示す。本発明者は、直径が５／８インチの鋼球をオレフィン系のエラストマでできているパッド３０上に１００ｍｍと３００ｍｍの高さから落下させ、その反発率（落下開始の高さと反発により最高点に達した時の高さの比）を求めた。図４は、この実験において、亜鉛華デンプン４０をパッド３０の表面に付着させた場合と付着させなかった場合の反発率を示したものである。パッド３０に何ら加工や処理を施さなかった場合、図４に示したように１００ｍｍの高さから鋼球を落下させた際の反発率は６３．６％となり、３００ｍｍの高さから鋼球を落下させた際の反発率は６０．６％となった。一方、パッド３０に亜鉛華デンプン４０を付着させた場合、１００ｍｍの高さから鋼球を落下させた際の反発率は７２．３％、３００ｍｍの高さから鋼球を落下させた際の反発率は６６．０％となり、亜鉛華デンプン４０を付着させなかった場合と比較して高い反発率を得ることができた。
【００１２】
このように本実施形態によれば、スティック６０により打撃されるパッド３０が粘着性を有していても、打撃の際にスティック６０がパッド３０に付着することなく反発するため、演奏者はアコースティックドラムのような自然な反発感を得ることができる。また、柔軟性のあるエラストマをパッド３０に使用することができるため、演奏者は柔らかい打感を得ることができ、長時間の演奏が可能となる。また、柔軟性のあるエラストマをパッド３０として使用することができるため、パッド３０とスティック６０の衝突により生ずる衝突音が小さくなり、また、図４に示した実験結果からわかるように、弱い打撃がされた際に高い反発率を示すため、演奏者は打撃の間隔を短くする早打ち時にスティック６０をコントロールすることが容易となる。
【００１３】
［変形例］
以上、本発明の実施形態について説明したが、例えば、上述した実施形態を以下のように変形して本発明を実施してもよい。
【００１４】
パッド３０の表面に塗布される粉末は、亜鉛華デンプンに限定されるものではなく、コーンスターチや、タルク、シリカ、亜鉛華など、パッド３０の粘着性を低減させることが可能なものであれば他の粉末であってもよい。
物性の異なる粉末を複数用意することにより、パッド３０の反発率を替えることができる。このように、複数の粉末を用意すれば、一度塗布された粉末をふき取って物性の異なる粉末を塗布することにより、演奏者の好みや曲調に応じた反発率を得ることが可能となる。
【００１５】
パッド３０は、粘着性を有していれば、例えば、シリコン系のエラストマや、ゲル系の材料からなるエラストマなどであってもよい。また、パッド３０の表面全体に微細な凹部を複数設け、スティック６０により打撃された際にスティック６０と打撃された面との接触面積を小さくするようにしてもよい。
【００１６】
パッド３０の粘着性を低減させる方法は、上述した方法に限定されない。例えば、エラストマに滑剤（例えば、シリコンオイルなど）を混入してパッド３０の表面の粘着性を低減させるようにしてもよいし、パッド３０の表面にハロゲン化処理を施し、表面を硬化させることにより粘着性を低減させるようにしてもよい。また、パッド３０の表面にシリコン系やフッ素系の材料を塗布することによりパッド３０の表面の粘着性を低減させるようにしてもよい。
【図面の簡単な説明】
【００１７】
【図１】本発明の実施形態に係る電子ドラムの構成を示す図である。
【図２】亜鉛華デンプンが付着していないパッド３０の表面の変化を示す図である。
【図３】亜鉛華デンプンが付着しているパッド３０の表面の変化を示す図である。
【図４】亜鉛華デンプンの作用を確認する実験の結果を示す図である。
【符号の説明】
【００１８】
１０・・・ケース、２０・・・基材、３０・・・パッド、４０・・・亜鉛華デンプン、５０・・・振動検出センサ、６０・・・スティック、１００・・・楽音発生部、１１０・・・スピーカ。
【図１】
2006072063.tif 000003
【図２】
2006072063.tif 000004
【図３】
2006072063.tif 000005
【図４】
2006072063.tif 000006